【手続補正書】
【提出日】平成17年8月24日(2005.8.24)
【手続補正１】
【補正対象書類名】明細書
【補正対象項目名】００５９
【補正方法】変更
【補正の内容】
【００５９】
予告通知部６０９は、予告通知開始時刻Ｔａｎが到来すると、予告通知信号を生成すると同時に、インターバル時間Ｔａｄのダウンカウントを開始する。このダウンカウントは、番組開始時刻Ｔｓまで継続して行われるが、視聴者がリモコン９を操作することによってキャンセルすることができる。遅延通知部６１０は、現在時刻Ｔｒが番組開始時刻Ｔｓを経過すると、遅延通知信号を生成すると同時に、遅延時間Ｔｄのアップカウントを開始する。このアップカウントは、番組放送時間Ｅｄの間、継続して行われるが、視聴者がリモコン９を操作することによって、途中でキャンセルすることができる。通知内容選択部６１２は、予告番組重複検出部６１１が生成する予約重複信号Ｓｄｂ１、予告通知部６０９が生成する予告通知信号、または遅延通知部６１０が生成する遅延通知信号にそれぞれ対応した通知内容を、予め格納されている通知内容から選択する。
【手続補正２】
【補正対象書類名】明細書
【補正対象項目名】００６０
【補正方法】変更
【補正の内容】
【００６０】
映像音声信号生成部６１３は、通知内容選択部６１２が選択した通知内容を、モニタ７の画面及びスピーカを通じて、視聴者に視覚的及び聴覚的に通知するための映像音声信号を生成する。ＣＰＵ６０６は、番組情報通知部６００全体の動作を制御している。ＲＯＭ６０４は、ＣＰＵ６０６の制御動作のためのプログラムを格納している。ＲＡＭ６０７は、ＣＰＵ６０６が上記プログラムを実行するときに必要となるデータを記憶する。データバス６０５は、操作入力制御部６０１と、番組情報記憶部６０２と、現在時刻発生部６０３と、通知時刻検出部６０８と、予告通知部６０９と、遅延通知部６１０と、予告番組重複検出部６１１と、通知内容選択部６１２と、映像音声信号生成部６１３と、ＣＰＵ６０６と、ＲＯＭ６０４と、ＲＡＭ６０７とを相互に接続する。
【手続補正３】
【補正対象書類名】明細書
【補正対象項目名】００７７
【補正方法】変更
【補正の内容】
【００７７】
また、本実施形態のシステムＴＡＳ２では、第１の実施形態の番組情報通知部６００に代えて、番組情報通知部７００が設けられている。この番組情報通知部７００は、操作入力制御部７０１と、番組映像情報生成部７０２と、番組情報記憶部７０３と、現在時刻発生部６０３と、ＲＯＭ７０４と、ＣＰＵ７０６と、ＲＡＭ７０７と、通知時刻検出部６０８と、予告通知部６０９と、遅延通知部６１０と、番組開始時刻変更検出部７０８と、予告番組重複検出部７０９と、通知内容選択部７１０と、映像音声信号生成部７１１とを備えている。以下、それぞれについて説明する。
【手続補正４】
【補正対象書類名】明細書
【補正対象項目名】００８３
【補正方法】変更
【補正の内容】
【００８３】
通知内容選択部７１０は、予告番組重複検出部７０９が生成する予告番組重複信号Ｓｄｂ２、予告通知部６０９が生成する予告通知信号、遅延通知部６１０が生成する遅延通知信号、または番組開始時刻変更検出部７０８が生成する番組開始時刻変更信号にそれぞれ対応した通知内容を、予め格納されている複数の通知内容から選択する。映像音声信号生成部７１１は、通知内容選択部７１０が選択した通知内容を、モニタ７の画面及びスピーカを通じて、視聴者に視覚的及び聴覚的に通知するための映像音声信号を生成する。
【手続補正５】
【補正対象書類名】明細書
【補正対象項目名】００８９
【補正方法】変更
【補正の内容】
【００８９】
次に、予告番組重複検出部７０９は、そのとき視聴者が入力した番組開始時刻Ｔｓと、すでに番組情報記憶部７０３に記憶されている番組開始時刻Ｔｓｒとを比較し、さらに、そのとき視聴者が入力した予告希望番組の放送局のチャネルＳｔと、すでに番組情報記憶部７０３に記憶されている放送局のチャネルＳｔｒとを比較し、その一致／不一致を判断する（ステップＳ４１６）。この比較の結果、番組開始時刻Ｔｓと、すでに記憶されている番組開始時刻Ｔｓｒとが等しく、かつ、予告希望番組の放送局のチャネルＳｔと、すでに記憶されている放送局のチャネルＳｔｒとが等しければ、予告番組重複検出部７０９は、予告番組重複信号Ｓｄｂ２を生成し、通知内容選択部７１０に出力する（ステップＳ４１７）。通知内容選択部７１０は、受け取った予告番組重複信号Ｓｄｂ２に応答して、自信の内部に予め格納されている複数の通知内容の中から、番組重複を示すための通知内容を選択し、選択した通知内容を映像音声信号生成部７１１に出力する。当該通知内容を受け取った映像音声信号生成部７１１は、当該通知内容をモニタ７で通知するための映像音声信号を生成する（ステップＳ４１８）。応じて、モニタ７は、当該映像音声信号に基づいて、画面上に映像を表示し、スピーカによって音声を発生させて、視聴者に予告番組の重複を通知する。
【手続補正６】
【補正対象書類名】明細書
【補正対象項目名】０１０２
【補正方法】変更
【補正の内容】
【０１０２】
通知内容選択部８１０は、予告番組重複検出部８０９が生成する予告番組重複信号Ｓｄｂ３、予告通知部６０９が生成する予告通知信号、遅延通知部６１０が生成する遅延通知信号、または予告番組内容変更検出部８０８が生成する番組内容変更信号にそれぞれ対応した通知内容を、予め格納されている複数の通知内容から選択する。映像音声信号生成部８１１は、通知内容選択部８１０が選択した通知内容を、モニタ７の画面及びスピーカを通じて、視聴者に視覚的及び聴覚的に通知するための映像音声信号を生成する。
【手続補正７】
【補正対象書類名】明細書
【補正対象項目名】０１０７
【補正方法】変更
【補正の内容】
【０１０７】
再び図１６を参照して、視聴者は、予告通知を希望する番組特定情報を入力しようとするときは、リモコン２９を操作することにより、モニタ７に表示されている番組表（図１９参照）を入力画面に切り換える指示を番組情報通知部８００に与える。この切換指示に応答して、番組映像情報生成部８０２は、モニタ７の表示画面を、図１９に示す単なる表示画面から、図２０に示す入力画面に切り換える処理を行う（ステップＳ５１０）。すなわち、番組映像情報生成部８０２は、入力画面を表示するための映像信号を生成してデータバス８０５に出力する。図２０に示すように、入力画面は、図１９と同様の番組表に加えて、視聴者が入力した番組特定情報を確認のために表示する確認表示領域を含む。次に、視聴者がリモコン２９を操作して、番組特定情報（予告希望番組を放送する放送局のチャネルＳｔ、放送開始時刻Ｔｓ、インターバル時間Ｔａｄ、番組ＩＤ）を入力すると、番組情報通知部８００が当該番組情報を受信し、ＣＰＵ８０６がその受信情報を予告希望番組情報として受け付ける（ステップＳ５１１）。ＣＰＵ８０６が受け付けた予告希望番組情報は、番組情報記憶部８０３に記憶され（ステップＳ５１２）、図２０の入力画面の下部、すなわち前述した確認表示領域に表示される（ステップＳ５１３）。このように、予告番組に関する情報を確認表示領域に表示することによって、視聴者は、予告希望番組が正しく入力できたか否かを容易に判断することができる。予告希望番組が正しく入力されている場合、視聴者は、リモコン２９を操作して、通知セットを行う。ＣＰＵ８０６は、当該通知セットを受け取ると（ステップＳ５１４）、ステップＳ５１１で受け付けた予告希望番組情報、すなわち放送局のチャネルＳｔと、番組開始時刻Ｔｓと、インターバル時間Ｔａｄと、番組ＩＤとを番組情報記憶部８０３に格納する（ステップＳ５１５）。なお、入力画面の確認表示領域に表示された内容と、視聴者の意思とが異なっていれば、視聴者はステップＳ５１１に戻って、再度、番組情報を入力することができる。